(57)【要約】【課題】  或る程度の知識やテクニックを必要とするプレスリリース作成を、そのノウハウがなくても誰でも簡単に作成できるシステムを提供する。【解決手段】  プレスリリースの基本的な書式にて、目的別のテンプレートを予め作成しておき、確認事項（質問）に回答入力することで、それぞれのテンプレートの空欄を埋めるシステムを当該Ｗｅｂサイトに設置する。【選択図】図１
2008097556.tif 000002
【特許請求の範囲】
【請求項１】
マスコミ、マスメディアに向けて発信するプレスリリースにおいて、Ｗｅｂサイト上に設けられたシステムにて用意された確認事項（質問）に回答入力し、そのステップを進めることで、基本的な書式や構成、ルールなどに基づいたプレスリリースの骨組みが自動的に完成する仕組み。
【請求項２】
請求項１のシステムにおいて、予め用意された目的別のテンプレートから、配信しようとするプレスリリースの内容によって最も適切な形式を選ぶことができる仕組み。
【請求項３】
請求項１及び請求項２のシステムにおいて、完成したプレスリリースの骨組みは、ステップ入力の終えた最終ページに表示され、最終ページ内に設置された文章コピーボタンをクリックすることにより、当該Ｗｅｂサイトの配信システムの送信フォームや文章作成ソフト等のアプリケーションへの複写が可能であること。
【請求項４】
請求項１及び請求項２、請求項３のシステムにおいて、当該Ｗｅｂサイトのサービスは会員制であるが、本システムの利用希望者は会員でなくとも無料で利用することができること。
【発明の詳細な説明】
【技術分野】
【０００１】  本発明は、Ｗｅｂサイトを利用したプレスリリースの骨組みを作成、閲覧する技術に属する。
【背景技術】
【０００２】  従来、プレスリリースの配信またはプレスリリース形式での情報開示は大手企業を中心としておこなわれていた。大手企業の場合、広報業務担当部署が存在することが多く、マスコミやマスメディアとの連携等から培った、効果的なプレスリリース作成のテクニックやノウハウは大手企業各社が独自に持っていた。広報活動の必要性の波は中小企業にも及び、広報活動に力を入れる中小企業が増える中、そうした基本的な知識やテクニックを所持していない中小企業が多く、独自でプレスリリースを作成しようにも、どういう書式で作成し、どんな内容にすればよいのかがわからないといったケースが多く見られた。
【問題が解決しようとする課題】
【０００３】  マスコミやマスメディアの記者が見慣れているであろう一般的な書式のプレスリリースを作成する作業を、インターネット上で使うことができるようシステム化する。ノウハウがない場合でも、システムを活用することで、適切な書式のプレスリリースの骨組みを知識やテクニックを必要としない作業で作成することができることを課題とする。
【問題を解決するための手段】
【０００４】  上記の課題を解決するため、本発明は、一般的なプレスリリースの書式に沿った目的別のテンプレート数種類を予めＷｅｂサイト用データベース上に用意しておき、当該Ｗｅｂサイト上に組み込まれたプレスリリース作成プログラムにて、データベース上からそれらを選択抽出し、抽出したテンプレート内の空欄部分を埋めるプロセスをプレスリリース作成プログラムによって画面上に表示される質問への回答入力という形式にて行うというシステムである。
【０００５】  発表する情報の内容によって、それぞれ適した書式があるので、プレスリリースのテンプレートを目的別に数種類、予め用意しておく。ユーザーは発表したい内容によって、最適なテンプレートを選ぶことができる。
【０００６】  発表したい情報の基本情報をもれなくプレスリリースに反映させるため、ユーザーから基本情報を聞き出すための質問を予め用意しておく。
【０００７】  プレスリリースの基本構造部分は、プログラム上で予め用意された質問に回答入力することよって自動作成されるので、ユーザーはプレスリリースの書式を事前に理解しておく必要がない。
【０００８】  本システムの利用により、ユーザーはプレスリリース作成に関する基本的な知識やテクニックを有していなくても、一般的とされる形式のプレスリリースの骨組みが自動的に完成する。
【０００９】  完成したプレスリリースを当該サイトの配信システムの送信フォームまたは文章作成ソフト等に使用するために、ボタンひとつでコピーができるようにシステムのプログラムを組む。
【発明を実施するための最良の形態】
【００１０】  この発明の一実施形態を図１に示す。
【発明の効果】
【００１１】  以上のように、システムのプログラム上で予め設定された質問に回答入力をすることにより、プレスリリースの基本となる部分を自動生成するのが本発明である。プレスリリースの基本構造を理解し、作成のノウハウを習得する必要がないので、ユーザーの負担は小さい。また、これにより、プレスリリース作成に関する疑問点の発生は最小限に抑えられ、ユーザーが弊社へ問い合わせする手間も軽減できる。
【図１】
2008097556.tif 000003
【手続補正書】
【提出日】平成18年12月4日(2006.12.4)
【手続補正１】
【補正対象書類名】明細書
【補正対象項目名】全文
【補正方法】変更
【補正の内容】
【発明の詳細な説明】
【技術分野】
【０００１】本発明は、Ｗｅｂサイトを利用したプレスリリースの骨組みを作成、閲覧する技術に属する。
【背景技術】
【０００２】従来、プレスリリースの配信またはプレスリリース形式での情報開示は大手企業を中心としておこなわれていた。大手企業の場合、広報業務担当部署が存在することが多く、マスコミやマスメディアとの連携等から培った、効果的なプレスリリース作成のテクニックやノウハウは大手企業各社が独自に持っていた。広報活動の必要性の波は中小企業にも及び、広報活動に力を入れる中小企業が増える中、そうした基本的な知識やテクニックを所持していない中小企業が多く、独自でプレスリリースを作成しようにも、どういう書式で作成し、どんな内容にすればよいのかがわからないといったケースが多く見られた。
【問題が解決しようとする課題】
【０００３】マスコミやマスメディアの記者が見慣れているであろう一般的な書式のプレスリリースを作成する作業を、インターネット上で使うことができるようシステム化する。ノウハウがない場合でも、システムを活用することで、適切な書式のプレスリリースの骨組みを知識やテクニックを必要としない作業で作成することができることを課題とする。
【問題を解決するための手段】
【０００４】上記の課題を解決するため、本発明は、一般的なプレスリリースの書式に沿った目的別のテンプレート数種類を予めＷｅｂサイト用データベース上に用意しておき、当該Ｗｅｂサイト上に組み込まれたプレスリリース作成プログラムにて、データベース上からそれらを選択抽出し、抽出したテンプレート内の空欄部分を埋めるプロセスをプレスリリース作成プログラムによって画面上に表示される質問への回答入力という形式にて行うというシステムである。
【０００５】発表する情報の内容によって、それぞれ適した書式があるので、プレスリリースのテンプレートを目的別に数種類、予め用意しておく。ユーザーは発表したい内容によって、最適なテンプレートを選ぶことができる。
【０００６】発表したい情報の基本情報をもれなくプレスリリースに反映させるため、ユーザーから基本情報を聞き出すための質問を予め用意しておく。
【０００７】プレスリリースの基本構造部分は、プログラム上で予め用意された質問に回答入力することよって自動作成されるので、ユーザーはプレスリリースの書式を事前に理解しておく必要がない。
【０００８】本システムの利用により、ユーザーはプレスリリース作成に関する基本的な知識やテクニックを有していなくても、一般的とされる形式のプレスリリースの骨組みが自動的に完成する。
【０００９】完成したプレスリリースを当該サイトの配信システムの送信フォームまたは文章作成ソフト等に使用するために、ボタンひとつでコピーができるようにシステムのプログラムを組む。
【発明を実施するための最良の形態】
【００１０】この発明の一実施形態を図１に示す。
【発明の効果】
【００１１】以上のように、システムのプログラム上で予め設定された質問に回答入力をすることにより、プレスリリースの基本となる部分を自動生成するのが本発明である。プレスリリースの基本構造を理解し、作成のノウハウを習得する必要がないので、ユーザーの負担は小さい。また、これにより、プレスリリース作成に関する疑問点の発生は最小限に抑えられ、ユーザーが弊社へ問い合わせする手間も軽減できる。
【図面の簡単な説明】
【００１２】
【図１】この発明の実施形態を示す図である。